(57)【要約】      （修正有）【課題】複数の付箋束であっても、二次元的に大きくなることなく収納できる付箋及び付箋ケースを提供する。【解決手段】付箋１は、５つの付箋束１１ａ〜１１ｅと、付箋ケースとで構成され、付箋束１１ａ〜１１ｅは、付箋ケースの伸縮部１２６に貼着される。伸縮部１２６は、付箋ケースにおいて、第一折線と短辺とによって区画される部材であって、蛇腹形状となるよう等間隔に配される７本の第二折線に沿って山折りと谷折りを交互に繰り返される。【選択図】図１
2019014142.tif 000002
【特許請求の範囲】
【請求項１】
長方形状のシート状物が、短辺に対して平行に設けられる第一折線に沿って折られてなる２つの折り片のうち一方の折り片である第一折片と、
前記第一折線に沿って折られてなる２つの折り片のうち他方の折り片が、前記シート状物の短辺に対して平行に形成された複数の第二折線に沿って折られ、前記隣接する２つの第二折線に挟まれる折り片である第二折片と、
前記シート状物の第一折片及び第二折片以外の折り片である第三折片と、
前記第一折線及び第二折線に沿ってシート状物を折り畳んだ際に、直近で略平行となる、２つの前記第二折片の間隙に貼着される付箋束と、
を備える付箋。
【請求項２】
請求項１に記載の付箋であって、
前記第一折片と前記第三折片との間隙、及び、前記第二折片と前記第三折片との間隙のうち少なくとも一方に付箋束が貼着されること特徴とする付箋。
【請求項３】
請求項１又は請求項２に記載の付箋であって、
前記第二折線は、等間隔に奇数個設けられており、前記シート状物が、蛇腹形状となるよう、前記第二折線に沿って折られること特徴とする付箋。
【請求項４】
請求項１〜３のいずれか一に記載の付箋であって、さらに、
前記シート状物の端辺に延設される帯状部材である帯部、及び、折り畳まれた前記シート状物に巻き付けられた帯部を固定する固定部を有するカバー部を備える付箋。
【請求項５】
長方形状のシート状物が、短辺に対して平行に設けられる第一折線に沿って折られてなる２つの折り片のうち一方の折り片である第一折片と、
前記第一折線に沿って折られてなる２つの折り片のうち他方の折り片が、前記シート状物の短辺に対して平行に形成された複数の第二折線に沿って折られ、前記隣接する２つの第二折線に挟まれる折り片である第二折片と、
前記シート状物の第一折片及び第二折片以外の折り片である第三折片と、
を備える付箋。
【発明の詳細な説明】
【技術分野】
【０００１】
本発明は、複数の付箋束を一纏めに収納できる付箋及び付箋ケースに関する。
【背景技術】
【０００２】
付箋は、一時的に文書・書籍・封筒・机などに貼り付けることで、ページを開きやすくしたり、参照箇所を分かりやすくしたり、メモ用紙として使用される小さな紙（以下、付箋紙と称す。）であって、紙の一部に予め接着力の弱い接着剤が付されたものや、紙の片面全部に弱い接着剤が付されたものもある。
【０００３】
付箋紙には、大別して、略正方形と、短冊形のものがあり、使用者は、メモの内容が多いときは、比較的サイズが大きい略正方形状の付箋紙を用い、貼り付けられる場所に制限がある場合は、比較的サイズが小さい短冊形状の付箋紙を用いる等、用途に応じて使い分けることができる。また、付箋は、付箋紙の形状が同じであっても、様々な色のバリエーションがあり、使用者は、色で使い分けることもできる。このように、使用者は、複数の種類の付箋を使い分けることで、より便利に使用できる。
【０００４】
また、付箋には、束が散けたり、紙が折れたり、汚れたりすることを防ぐため、付箋ケースに収納されることがある。付箋ケースには多くの種類があり、例えば、特許文献１に開示される付箋ケースによれば、複数の短冊形状の付箋束を、並べて収納することができる。また、特許文献２に開示される付箋ケースによれば、開閉可能に連結された二つの付箋収納部からなり、それぞれの付箋収納部に、一つずつ、すなわち、計２つの略正方形状の付箋束を収納することができる。
【０００５】
さらにまた、非特許文献１に示すように、前述の付箋ケースよりもさらに多くの付箋束を二次元的に並べて収納できる付箋ケースも提案されている。
【先行技術文献】
【特許文献】
【０００６】
【特許文献１】実用新案登録第３２０２０４８号公報
【特許文献２】特開２００６−２７３４２１号公報
【非特許文献】
【０００７】
【非特許文献１】Yahoo!ショッピング、［平成２９年６月２７日検索］、インターネット＜https://store.shopping.yahoo.co.jp/top1-price/20170424-fusen.html?sc_i=shp_pc_search_itemlist_shsr_title＞
【発明の概要】
【発明が解決しようとする課題】
【０００８】
しかしながら、特許文献１や特許文献２に開示されるような付箋ケースでは、あまり多くの付箋束を収納することができず、また、非特許文献１に開示される付箋ケースでは、大きさが二次元的に大きくなり、スペースを取るため、使用時や保管時に邪魔になりやすく、ポケットや小さな鞄に入れて持ち運ぶことができない。複数種類の付箋束が、時にビジネスアイテムとして、所持され持ち運ばれることを考慮すると、このような従来の付箋ケースの態様が必ずしも最善であるとは言えない。
【０００９】
本発明は、従来のこのような事情に鑑みてなされたものである。本発明の主な目的は、複数の付箋束であっても、二次元的に大きくなることなく収納できる付箋及び付箋ケースを提供することにある。
【課題を解決するための手段及び発明の効果】
【００１０】
本発明の第１の側面に係る付箋によれば、長方形状のシート状物が、短辺に対して平行に設けられる第一折線に沿って折られてなる２つの折り片のうち一方の折り片である第一折片と、前記第一折線に沿って折られてなる２つの折り片のうち他方の折り片が、前記シート状物の短辺に対して平行に形成された複数の第二折線に沿って折られ、前記隣接する２つの第二折線に挟まれる折り片である第二折片と、前記シート状物の第一折片及び第二折片以外の折り片である第三折片と、前記第一折線及び第二折線に沿ってシート状物を折り畳んだ際に、直近で略平行となる、２つの前記第二折片の間隙に貼着される付箋束とを備えることができる。前記構成により、形状によらず複数の付箋束を、三次元的に纏めて収納することができ、省スペースであるためポケットや小さな鞄に入れて持ち運ぶことができる。
【００１１】
本発明の第２の側面に係る付箋によれば、前記第一折片と前記第三折片との間隙、及び、前記第二折片と前記第三折片との間隙のうち少なくとも一方に付箋束を貼着することができる。前記構成により、より多くの付箋束を収納することができる。
【００１２】
本発明の第３の側面に係る付箋によれば、前記シート状物を蛇腹形状にできる。前記構成により、最低限の折り数で付箋を製造できるので、製造コストを下げることができる。
【００１３】
本発明の第４の側面に係る付箋によれば、記シート状物の端辺に延設される帯状部材である帯部、及び、折り畳まれた前記伸縮部に巻き付けられた帯部を固定する固定部を有するカバー部を備えることができる。前記構成により、付箋束が散けたり、付箋紙が折れたり、汚れたりすることを防ぐことができる。
【００１４】
本発明の第５の側面に係る付箋ケースによれば、長方形状のシート状物が、短辺に対して平行に設けられる第一折線に沿って折られてなる２つの折り片のうち一方の折り片である第一折片と、前記第一折線に沿って折られてなる２つの折り片のうち他方の折り片が、前記シート状物の短辺に対して平行に形成された複数の第二折線に沿って折られ、前記隣接する２つの第二折線に挟まれる折り片である第二折片と、前記シート状物の第一折片及び第二折片以外の折り片である第三折片とを備えることができる。前記構成により、市販されている付箋束を三次元的に纏めて収納することができ、省スペースであるためポケットや小さな鞄に入れて持ち運び可能な付箋ケースを提供できる。
【図面の簡単な説明】
【００１５】
【図１】本発明の第一実施例に係る付箋の構成図である。
【図２】本発明の第一実施例に係る付箋ケースの展開図である。
【図３】本発明の第一実施例に係る付箋ケースに付箋束を収納する方法の説明図であって、図３Ａは伸縮部を折り畳んだ状態を示す図であり、図３Ｂは帯部を伸縮部に巻き付けた状態を示す図であり、図３Ｃは固定爪を固定爪用貫通孔に引っ掛けた状態を示す図である。
【図４】本発明の第二実施例に係る付箋ケースの展開図である。
【図５】本発明の第二実施例に係る付箋の構成図である。
【図６】本発明の第三実施例に係る付箋の構成図である。
【図７】本発明の第四実施例に係る付箋の構成図である。
【図８】本発明の第五実施例に係る付箋の構成図である。
【図９】本発明の第六実施例に係る付箋の構成図である。
【発明を実施するための形態】
【００１６】
以下、本発明の実施の形態を図面に基づいて説明する。ただし、以下に示す実施の形態は、本発明の技術思想を具体化するための付箋及び付箋ケースを例示するものであって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（付箋１）
【００１７】
本発明の第一実施例に係る付箋１について図１〜図９に基づいて説明する。本発明に係る付箋１は、図１に示すように、５つの付箋束１１ａ〜１１ｅと、付箋ケース１２とで構成され、付箋束１１ａ〜１１ｅは、付箋ケースの伸縮部１２６に貼着される。
（付箋束１１ａ〜１１ｅ）
【００１８】
付箋束１１ａ〜１１ｅは、１０枚の、一辺約５ｃｍの略正方形状で裏面の一部に接着力の弱い接着剤が付された付箋紙１１１が互いに剥離可能に貼着され、一つの束になったものである。また、５つの付箋束１１ａ〜１１ｅは、それぞれ赤色、緑色、青色、黄色、桃色の付箋紙１１１で構成されている。なお、付箋紙１１１は、裏面の一部に接着力の弱い接着剤が付されたものに限定されず、例えば、剥離可能な接着剤が付されておらず天糊だけが付されていたり、裏面の全部に接着剤が付されていたりしてもよい。また、付箋紙の素材は、特に限定されず、グラシン紙や和紙等の紙であってもよいし、ポリプロピレンやポリ塩化ビニル等であってもよい。また、付箋束の数や、付箋束を構成する付箋紙１１１の枚数やサイズ等は前記構成に限定されず、適宜変更してもよいが、前述の変更を行う場合は、付箋ケース１２をそれに適した態様に変更することが好ましい（詳細は後述する。）。また、付箋紙１１１の色は前述の色に限定されないが、付箋束毎にそれぞれ異なる色の付箋紙１１１を用いる方が好ましい。さらにまた、付箋束１１ａ〜１１ｅの裏面に台紙を設けてもよい。これにより、付箋束１１ａ〜１１ｅを、台紙を介して付箋ケースの伸縮部１２６に貼着できる。
（付箋ケース１２）
【００１９】
付箋ケース１２は、短辺方向の大きさが付箋紙１１１の一辺の大きさと略同一な長方形状の厚紙（特許請求の範囲における「シート状物」の一例に対応する。）が複数の折り線に沿って折られることで形成され、５つの付箋束１１ａ〜１１ｅを三次元的に纏めて収納することができる。以下では、付箋ケース１２の展開図である図２に基づいて、付箋ケース１２の態様について説明する。
【００２０】
付箋ケース１２は、図２に示すように、長方形状の厚紙の短辺１２４ａ、１２４ｂに対して垂直な、１本の第一折線１２１と、等間隔に配される７本の第二折線１２２ａ〜１２２ｇと、４本の第三折線１２３ａ〜１２３ｄとを備える。また、第三折線１２３ａ及び第三折線１２３ｂと第三折線１２３ｃ及び第三折線１２３ｄとの間隔は同じである。
【００２１】
付箋ケース１２において、第二折線１２２ａ、１２２ｃ、１２２ｅ、１２２ｇは山折りに、第一折線１２１及び第二折線１２２ｂ、１２２ｄ、１２２ｆ並びに第三折線１２３ａ〜１２３ｄは谷折りに折られる。付箋ケース１２は、第一折線１２１と第三折線１２３ａとに挟まれる折り片である第一折片１２５と、第一折線１２１と短辺１２４ａとによって区画される部材である蛇腹形状の伸縮部１２６と、第三折線１２３ａと短辺１２４ｂとによって区画される部材である帯部１２７とを備えている。また、第三折線１２３ｄと短辺１２４ｂとの間に固定爪１２８（特許請求の範囲における「固定部」の一例に対応する。）が、第一折片１２４内に固定爪用貫通孔１２９（特許請求の範囲における「固定部」の一例に対応する。）が形成される。
【００２２】
付箋ケース１２は、図３Ａに示すように、伸縮部１２６を折り畳み、図３Ｂに示すように、帯部１２７を第三折線１２３ａ〜１２３ｄに沿って折り曲げ、折り畳んだ伸縮部１２６に巻き付け、図３Ｃに示すように固定爪１２８を固定爪用貫通孔１２９に引っ掛けることで、５つの付箋束１１ａ〜１１ｅを重ねるように収納することができる。なお、前述の厚紙とは、板紙やミルクカートン用紙、画用紙、ケント紙等の比較的厚く、強度の高い紙を指す。また、付箋ケース１２の素材は、厚紙に限定されず、ポリプロピレンやポリ塩化ビニル等であってもよい。さらにまた、前述及び特許請求の範囲において記載している平行の文言は、厳密な平行のみを指しているのではなく、多少の誤差が含まれていてもよい。
（第一折片１２５）
【００２３】
第一折片１２５は、付箋ケース１２において、第一折線１２１と第三折線１２３ａとに挟まれる折り片であって、付箋紙１１１と略同一な大きさである。第一折片１２４は、図１に示すように、第一折片１２５からはみ出さないよう、５つの付箋束１１ｅが貼着される。また、第一折片１２５には、固定爪１２８を引っ掛けるための長方形状の孔である固定爪用貫通孔１２９が設けられる。なお、第一折片１２５の形状は、前述のものに限られず、貼着された付箋束１１ｅが第一折線１２１及び第三折線１２３ａに干渉しないのであれば、適宜変更してもよい。具体的には、厚紙の長辺方向の大きさが付箋紙１１１と同一か大きければよく、厚紙の短辺方向の大きさは付箋紙１１１よりも小さくなってもよいし、大きくなってもよい。また、後述する、帯部１２７が第三折線１２３ａから延設されない場合は、厚紙の長辺方向の大きさが付箋紙１１１よりも小さくなってもよい。さらにまた、固定爪用貫通孔１２９の形状は、長方形に限定されない。
（伸縮部１２６）
【００２４】
伸縮部１２６は、付箋ケース１２において、第一折線１２１と短辺１２４ａとによって区画される部材であって、蛇腹形状となるよう等間隔に配される７本の第二折線１２２ａ〜１２２ｇに沿って山折りと谷折りを交互に繰り返される。
【００２５】
伸縮部１２６は、図１に示すように、短辺１２４ａとに挟まれる折り片（特許請求の範囲における「第三折片」の一例に対応する。）、第二折線１２２ｂと第二折線１２２ｃとに挟まれる折り片（特許請求の範囲における「第二折片」の一例に対応する。）、第二折線１２２ｄと第二折線１２２ｅとに挟まれる折り片（特許請求の範囲における「第二折片」の一例に対応する。）、第二折線１２２ｆと第二折線１２２ｇとに挟まれる折り片（特許請求の範囲における「第二折片」の一例に対応する。）に、それぞれ、付箋束１１ａ〜１１ｄが、付箋束１１ａ〜１１ｅの最も下の付箋紙１１１の接着剤によって貼着される。
【００２６】
このとき、付箋束１１ａ〜１１ｅは、それぞれ、付箋束の一辺が、短辺１２４ａ、第二折線１２２ｂ、第二折線１２２ｄ、第二折線１２２ｆに沿うように配される。なお、付箋束１１ａ〜１１ｅの裏面に台紙を設けた場合、付箋束１１ａ〜１１ｅを、台紙を介して貼着できるので、付箋束１１ａ〜１１ｅの貼着位置が付箋紙１１１の接着剤の位置に拘束されない。
【００２７】
また、伸縮部１２６における第二折線の数は７本に限定されず、第二折線の数を適宜変更することで、一度に収納できる付箋束の数を変更することができる。具体的には、一度に収納したい付箋束の数がｎ個の場合、第二折線を（２ｎ−３）本設け、図２における短辺１２４ａ側から、山折り、谷折りの順で交互に繰り返せばよい。
【００２８】
また、伸縮部１２６の形状は、前記形状に限定されず、例えば、図４に示すように、第二折線１２２ａ〜１２２ｇに加え、全て谷折りで折られる第二折線１２２ｂ'、１２２ｄ'、１２２ｆ'、１２２ｈ'を設けてもよい（第二実施例）。すなわち、谷折りの第二折線を、付箋束の厚みと同程度の間隔をあけた二重の折線にすることで、図５に示すように、付箋束が、付箋紙１１１の枚数が多く、厚い付箋束１１ａ〜１１ｅであったとしても収納できる。これにより、付箋ケース１２は、様々な厚さの付箋束に対応できる。
【００２９】
さらにまた、付箋ケース１２に収納する付箋束の形状は、一辺約５ｃｍの略正方形状に限られない。例えば、図６に示すように、一つの折り片に５ｃｍ×１ｃｍの短冊形状の付箋束１１'を５つ並べて収納することができる（第三実施例）。また、図７に示すように、長方形状の厚紙を短辺方向に大きくすることで一つの折り片に略正方形状の付箋束１１と短冊形状の付箋束１１'とを２つ並べて収納することができる（第四実施例）。このように、付箋ケース１２は、形状によらず複数の付箋束を、三次元的に纏めて収納することができる。
（帯部１２７）
【００３０】
帯部１２７は、付箋ケース１２において、第三折線１２３ａと短辺１２４ｂとによって区画される部材である。帯部１２７は、谷折りで折られる第三折線１２３ａ〜１２３ｄと、固定爪１２８を備える。帯部１２７は、付箋ケース１２が付箋束１１ａ〜１１ｅを収納した際に、折り畳んだ伸縮部１２６が広がらないよう固定し、外部からのごみや汚れが付箋紙１１１に付着するのを防ぐ。固定爪１２８は、図２又は図４に示すように、切れ込みである爪１２８ａと折れ線である折線１２８ｂとからなる。
【００３１】
また、第三折線１２３ｂと第三折線１２３ｃとに挟まれる折り片は、第一折片１２５と略同一な大きさであり、第三折線１２３ａ及び第三折線１２３ｂ、第三折線１２３ｃ及び第三折線１２３ｄの間隔は、図３Ｃに示すように、伸縮部１２６を折り畳んだ際の厚みと略同じである。すなわち、付箋ケース１２は、第三折線１２３ａ〜１２３ｄの位置を適宜変更することで、様々な厚さの付箋束に対応できる。
【００３２】
さらにまた、帯部１２７は、前記態様に限定されない。例えば、図８に示すように、厚紙がＬ字状となるよう帯部１２７を設けてもよいし（第五実施例）、図９に示すように、帯部１２７を第一折片１２５及び伸縮部１２６と別体にし、固定爪用貫通孔１２９を備える態様にしてもよい（第六実施例）。
（固定爪１２８及び固定爪用貫通孔１２９）
【００３３】
固定爪１２８及び固定爪用貫通孔１２９は、折り畳まれた伸縮部１２６に巻き付けられた帯部１２７を固定するための部材であり、特許請求の範囲における「固定部」の一例に対応する。固定爪１２８は、半円形状の切れ込みである爪１２８ａと折れ線である折線１２８ｂとからなり（図２又は図４を参照。）、固定爪用貫通孔１２９は長辺が該切れ込みの直径と略同一長の長方形状の孔であり、折線１２８ｂに沿って折り曲げながら、固定爪１２８の爪１２８ａを突出させて固定爪用貫通孔１２９に引っ掛けることで、折り畳まれた伸縮部１２６に巻き付けられた帯部１２７を固定できる。なお、固定爪１２８及び固定爪用貫通孔１２９の形状は、前述のものに限られない。また、特許請求の範囲における「固定部」は、折り畳まれた伸縮部１２６に巻き付けられた帯部１２７を固定できればよく、例えば、ボタンやホック、面ファスナー、磁石等であってもよい。
【００３４】
以上説明したように、本発明の付箋１は、収納したい付箋束の形状によらず、複数の付箋束を三次元的に収納でき、省スペースであるためポケットや小さな鞄に入れて持ち運ぶことができる。また、付箋ケース１２は、市販の付箋束を貼着し、収納するケース単体としても使用できる。
【産業上の利用可能性】
【００３５】
本発明に係る付箋は、複数の付箋束が三次元的に収納された付箋として使用でき、本発明に係る付箋ケースは、複数の付箋束を三次元的に収納する用途に使用できる。
【符号の説明】
【００３６】
１…付箋
１１ａ〜１１ｅ、１１、１１'…付箋束
１１１…付箋紙
１２…付箋ケース
１２１…第一折線；１２２ａ〜１２２ｇ、１２２ｂ'、１２２ｄ'、１２２ｆ'、１２２ｈ'…第二折線；１２３ａ〜１２３ｄ…第三折線；１２４ａ、１２４ｂ…短辺；１２５…第一折片；１２６…伸縮部；１２７…帯部；１２８…固定爪；１２８ａ…爪；１２８ｂ…折線；１２９…固定爪用貫通孔
【図１】
2019014142.tif 000003
【図２】
2019014142.tif 000004
【図３】
2019014142.tif 000005
【図４】
2019014142.tif 000006
【図５】
2019014142.tif 000007
【図６】
2019014142.tif 000008
【図７】
2019014142.tif 000009
【図８】
2019014142.tif 000010
【図９】
2019014142.tif 000011